(57)【要約】【課題】大きなコストをかけることなく、所望の光出力をもつＬＥＤ照明装置を構築することを可能にするＬＥＤモジュール用基板を提供する。【解決手段】ＬＥＤを実装するための単位基板がｎ（≧２）個連結されて構成される多面取り可能なＬＥＤモジュール用基板１０であって、ｎ個の単位基板１１〜１８の夫々には、電力供給のための少なくとも１対の電力供給用電極２１ａ及び２１ｂと、少なくとも１対の電力供給用電極２１ａ及び２１ｂに供給された電力を当該単位基板に実装されるＬＥＤ３０ａ〜３０ｌに配送するための配線パターン２２とが形成され、ｎ個の単位基板１１〜１８のうち、隣接して配置された２個の単位基板の夫々には、当該２個の単位基板を切り離す切断箇所２３を跨ぐジャンパー３１ａを接続するためのジャンパー用電極２４が形成されている。【選択図】図１Ａ
2015106541.tif 000002
【特許請求の範囲】
【請求項１】
ＬＥＤを実装するための単位基板がｎ（≧２）個連結されて構成される多面取り可能なＬＥＤモジュール用基板であって、
前記ｎ個の単位基板の夫々には、電力供給のための少なくとも１対の電力供給用電極と、前記少なくとも１対の電力供給用電極に供給された電力を当該単位基板に実装されるＬＥＤに配送するための配線パターンとが形成され、
前記ＬＥＤモジュール用基板が前記ｎ個の単位基板に分割される際の前記ＬＥＤモジュール用基板の切断箇所には、当該切断箇所を跨ぐ配線パターンが形成されておらず、
前記ｎ個の単位基板のうち、隣接して配置された２個の単位基板の夫々には、当該２個の単位基板を切り離す切断箇所を跨ぐジャンパーを接続するためのジャンパー用電極が形成され、前記ジャンパー用電極と当該単位基板に形成された前記配線パターンとが接続されている
ＬＥＤモジュール用基板。
【請求項２】
前記ｎ個の単位基板は、第１方向に並べて配置され、
前記ｎ個の単位基板の夫々には、前記第１方向に直交する第２方向における両端に位置する２つの側縁領域に、前記ジャンパー用電極が形成されている
請求項１記載のＬＥＤモジュール用基板。
【請求項３】
さらに、前記ｎ個の単位基板の並びにおいて連続するｍ（≦ｎ）個の単位基板から構成される組を組基板とした場合に、組基板ごとに、当該組基板を構成するｍ個の単位基板に形成された対応する前記ジャンパー用電極を接続するためのジャンパーが設けられている
請求項２記載のＬＥＤモジュール用基板。
【請求項４】
さらに、前記ｎ個の単位基板の夫々には、当該単位基板に実装されるＬＥＤを覆うレンズに設けられた突起部をガイドするための孔及び切り欠きの少なくとも一つが設けられている
請求項１〜３のいずれか１項に記載のＬＥＤモジュール用基板。
【請求項５】
前記ｎ個の単位基板の夫々において、前記配線パターンは、第１配線パターン及び第２配線パターンに分離され、
前記第１配線パターン及び前記第２配線パターンには、抵抗ジャンパーで相互に接続するための抵抗ジャンパー用電極が複数箇所に形成されている
請求項１〜４のいずれか１項に記載のＬＥＤモジュール用基板。
【請求項６】
前記ｎ個の単位基板の夫々には、当該単位基板に実装される前記ＬＥＤからの熱を放熱するための金属箔パターンである放熱パターンが形成され、
前記放熱パターンは、少なくとも、前記単位基板上であって、前記ＬＥＤの直下に形成されている
請求項１〜５のいずれか１項に記載のＬＥＤモジュール用基板。
【発明の詳細な説明】
【技術分野】
【０００１】
本発明は、ＬＥＤモジュール用基板に関し、特に、ＬＥＤを実装するための単位基板が複数個連結されて構成される多面取り可能なＬＥＤモジュール用基板に関する。
【背景技術】
【０００２】
ＬＥＤ照明装置では、光源として、ＬＥＤモジュールが用いられる。ＬＥＤモジュールは、ＬＥＤが実装された基板である。
【０００３】
従来、ＬＥＤ照明装置において、高い光出力が求められる場合、例えば、道路照明用のＬＥＤ照明装置では、１個のＬＥＤ照明装置に、複数のＬＥＤモジュールが用いられる（例えば、特許文献１参照）。これにより、ＬＥＤ照明装置に組み込むＬＥＤモジュールの個数を調整することで、所望の光出力を実現することができる。
【先行技術文献】
【特許文献】
【０００４】
【特許文献１】特開２０１３−６２１５４号公報
【発明の概要】
【発明が解決しようとする課題】
【０００５】
しかしながら、複数のＬＥＤモジュールが用いられるＬＥＤ照明装置では、複数のＬＥＤモジュールを電気的に接続するために、ワイヤーでＬＥＤモジュール間を接続する必要がある。そのために、このようなタイプのＬＥＤ照明装置では、ＬＥＤモジュール間を接続する手間がかかり、さらに、接続部材のコストもかかり、トータルとしてコストが高くなってしまうという問題がある。特に、試作段階での少量の生産、例えば、２〜５０個のＬＥＤモジュールを製造する場合には、量産する場合と異なり、１個のＬＥＤモジュール当たりのコストが高くなってしまう。
【０００６】
そこで、本発明は、このような点に鑑みてなされたものであり、大きなコストをかけることなく、所望の光出力をもつＬＥＤ照明装置を構築することを可能にするＬＥＤモジュール用基板を提供することを目的とする。
【課題を解決するための手段】
【０００７】
上記目的を達成するために、本発明に係るＬＥＤモジュール用基板の一形態は、ＬＥＤを実装するための単位基板がｎ（≧２）個連結されて構成される多面取り可能なＬＥＤモジュール用基板であって、前記ｎ個の単位基板の夫々には、電力供給のための少なくとも１対の電力供給用電極と、前記少なくとも１対の電力供給用電極に供給された電力を当該単位基板に実装されるＬＥＤに配送するための配線パターンとが形成され、前記ＬＥＤモジュール用基板が前記ｎ個の単位基板に分割される際の前記ＬＥＤモジュール用基板の切断箇所には、当該切断箇所を跨ぐ配線パターンが形成されておらず、前記ｎ個の単位基板のうち、隣接して配置された２個の単位基板の夫々には、当該２個の単位基板を切り離す切断箇所を跨ぐジャンパーを接続するためのジャンパー用電極が形成され、前記ジャンパー用電極と当該単位基板に形成された前記配線パターンとが接続されている。
【０００８】
ここで、前記ｎ個の単位基板は、第１方向に並べて配置され、前記ｎ個の単位基板の夫々には、前記第１方向に直交する第２方向における両端に位置する２つの側縁領域に、前記ジャンパー用電極が形成されてもよい。
【０００９】
また、さらに、前記ｎ個の単位基板の並びにおいて連続するｍ（≦ｎ）個の単位基板から構成される組を組基板とした場合に、組基板ごとに、当該組基板を構成するｍ個の単位基板に形成された対応する前記ジャンパー用電極を接続するためのジャンパーが設けられてもよい。
【００１０】
また、さらに、前記ｎ個の単位基板の夫々には、当該単位基板に実装されるＬＥＤを覆うレンズに設けられた突起部をガイドするための孔及び切り欠きの少なくとも一つが設けられてもよい。
【００１１】
また、前記ｎ個の単位基板の夫々において、前記配線パターンは、第１配線パターン及び第２配線パターンに分離され、前記第１配線パターン及び前記第２配線パターンには、抵抗ジャンパーで相互に接続するための抵抗ジャンパー用電極が複数箇所に形成されてもよい。
【００１２】
また、前記ｎ個の単位基板の夫々には、当該単位基板に実装される前記ＬＥＤからの熱を放熱するための金属箔パターンである放熱パターンが形成され、前記放熱パターンは、少なくとも、前記単位基板上であって、前記ＬＥＤの直下に形成されていてもよい。
【発明の効果】
【００１３】
本発明に係るＬＥＤモジュール用基板によれば、大きなコストをかけることなく、所望の光出力をもつＬＥＤ照明装置を構築することが可能になる。
【００１４】
よって、ＬＥＤ照明装置の光出力の強度に対する要求が多様化してきた今日において、本発明の実用的価値は極めて高い。
【図面の簡単な説明】
【００１５】
【図１Ａ】本発明の実施の形態におけるＬＥＤモジュール用基板（８面取り）の平面図
【図１Ｂ】同ＬＥＤモジュール用基板を構成する単位基板の等価回路図（ＬＥＤ含む）
【図２】同ＬＥＤモジュール用基板の一部分の拡大図
【図３Ａ】同ＬＥＤモジュール用基板に実装されたＬＥＤを覆うレンズの一例を示す外観図
【図３Ｂ】同ＬＥＤモジュール用基板に実装されたＬＥＤを覆うレンズの他の一例を示す外観図
【図４】同ＬＥＤモジュール用基板の放熱パターンの拡大図
【図５】本発明の実施の形態におけるＬＥＤモジュール用基板（４面取り）の平面図
【図６Ａ】図５のＬＥＤモジュール用基板におけるジャンパーの拡大図
【図６Ｂ】図５に示された各ＬＥＤモジュールの等価回路図（ＬＥＤ含む）
【図７】図５のＬＥＤモジュール用基板の一部分の拡大図
【図８Ａ】本発明の実施の形態におけるＬＥＤモジュール用基板（１面取り）の平面図
【図８Ｂ】図８Ａに示されたＬＥＤモジュール用基板の等価回路図（ＬＥＤ含む）
【図９】本発明の実施の形態の第一の変形例における、６個の単位基板から構成されるＬＥＤモジュール用基板の平面図
【図１０Ａ】本発明の実施の形態の第二の変形例におけるＬＥＤモジュール用基板（８面取り）の平面図
【図１０Ｂ】同ＬＥＤモジュール用基板を構成する単位基板の等価回路図（ＬＥＤ含む）
【図１０Ｃ】同ＬＥＤモジュール用基板（４面取り）の平面図
【図１０Ｄ】図１０Ｃに示された各ＬＥＤモジュールの等価回路図（ＬＥＤ含む）
【図１０Ｅ】同ＬＥＤモジュール用基板（１面取り）の平面図
【図１０Ｆ】図１０Ｅに示されたＬＥＤモジュール用基板の等価回路図（ＬＥＤを含む）
【発明を実施するための形態】
【００１６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１７】
図１Ａは、本実施の形態におけるＬＥＤモジュール用基板１０の平面図である。このＬＥＤモジュール用基板１０は、ＬＥＤを実装するための単位基板がｎ（≧２）個連結されて構成される多面取り可能なＬＥＤモジュール用基板の一例であり、本実施の形態では、８個の単位基板１１〜１８から構成される。８個の単位基板１１〜１８は、第１方向（図１ＡにおけるＸ方向）に並べて配置され、点線で図示される箇所（切断箇所）で切断されることで分離される。本図では、ＬＥＤモジュール用基板１０が８個に分割されて用いられるケース（つまり、８面取りされるケース）が図示されている。なお、ＬＥＤモジュール用基板１０が他の分割態様（例えば、４面取り、あるいは、１面取り）で用いられるケースについては、後述する。
【００１８】
このＬＥＤモジュール用基板１０は、例えば、ガラスエポキシ基板の上面に銅箔の配線パターンが施されたプリント配線基板（Ｐｒｉｎｔｅｄ  Ｃｉｒｃｕｉｔ  Ｂｏａｒｄ）である。本実施の形態では、各単位基板１１〜１８には、表面実装型の１２個のＬＥＤ３０ａ〜３０ｌを直列に接続する配線パターンが施されている。つまり、上記第１方向と直交する第２方向（図１ＡにおけるＹ方向）に直線状に並べられた６個のＬＥＤを一列とする二列のＬＥＤが単位基板ごとに直列に接続される。つまり、各単位基板１１〜１８は、図１Ｂの等価回路図に示されるように、直列接続された１２個のＬＥＤ３０ａ〜３０ｌを実装するための配線パターンが施されている。
【００１９】
なお、図１ＡのＬＥＤ３０ａ〜３０ｌは、例えば、蛍光体を含む封止樹脂で覆われた表面実装型のＬＥＤチップである。これらＬＥＤ３０ａ〜３０ｌは、参考のための図示であり、ＬＥＤモジュール用基板１０としては、必ずしも、ＬＥＤ３０ａ〜３０ｌは実装されている必要はない。ＬＥＤモジュール用基板１０の上面においてＬＥＤ３０ａ〜３０ｌが実装される箇所には、ＬＥＤごとに、ＬＥＤをはんだ付けするための２つの電極が形成されている。
【００２０】
図２は、図１ＡにおけるＬＥＤモジュール用基板１０の一部分の拡大図である。各単位基板１１〜１８には、電力供給のための少なくとも１対の電力供給用電極（ここでは、２対の電力供給用電極２１ａ及び２１ｂ）が形成されている。さらに、各単位基板１１〜１８には、それら少なくとも１対の電力供給用電極（ここでは、２対の電力供給用電極２１ａ及び２１ｂ）に供給された電力を当該単位基板に実装されるＬＥＤ３０ａ〜３０ｌに配送するための配線パターン２２が形成されている。各単位基板１１〜１８が照明装置に組み込まれる場合には、２対の電力供給用電極２１ａ及び２１ｂの少なくともいずれかに、１対の電力供給用ケーブルがはんだ付けされて接続される。これにより、このＬＥＤモジュール用基板１０を８個に分割した場合に、各単位基板１１〜１８への電力供給が可能になる。
【００２１】
また、図２に示されるように、ＬＥＤモジュール用基板１０が８個の単位基板に分割される際のＬＥＤモジュール用基板１０の切断箇所２３には、切断箇所２３を跨ぐ配線パターンは形成されていない。８個の単位基板１１〜１８のうち、隣接して配置された２個の単位基板の夫々には、当該２個の単位基板を切り離す切断箇所２３を跨ぐジャンパーを接続するためのジャンパー用電極２４が形成されている。ジャンパー用電極２４と当該単位基板に形成された配線パターン２２とは接続されている。ジャンパー用電極２４は、各単位基板１１〜１８のＹ方向における両端に位置する２つの側縁領域に形成されている。後述するように、ＬＥＤモジュール用基板１０のジャンパー用電極２４のうちの適切な箇所にジャンパーをはんだ付けすることで、ＬＥＤモジュール用基板１０を他の分割態様（例えば、４面取り、あるいは、１面取り）で分割して照明装置に用いることができる。
【００２２】
また、図２に示されるように、各単位基板１１〜１８には、当該単位基板上のＬＥＤ３０ａ〜３０ｌの夫々を覆うレンズに設けられた突起部をガイドするための孔及び切り欠きの少なくとも一つ（ここでは、孔２７ａ及び切り欠き２７ｂ）が設けられている。図３Ａ及び図３Ｂは、ＬＥＤモジュール用基板１０に実装されたＬＥＤを覆うレンズ５０ａ及び５０ｂの外観図である。なお、レンズ５０ａ及び５０ｂの実装方向を示すために、図３Ａ及び図３Ｂの右横に、ＬＥＤモジュール用基板１０のＸ方向及びＹ方向が示されている。図３Ａに示されるレンズ５０ａは、隣接して配置された４個のＬＥＤの夫々を覆う４つの凹部５１ａと４箇所の突起部５２ａが形成された樹脂製のレンズであり、４個のＬＥＤから出射された光を図面の上方へ導光する。図３Ｂに示されるレンズ５０ｂは、隣接して配置された４個のＬＥＤの夫々を覆う４つの凹部５１ｂと４つの突起部５２ｂが形成された樹脂製のレンズであり、４個のＬＥＤから出射された光を図面の左方へ導光する。各単位基板１１〜１８には、当該単位基板に実装される１２個のＬＥＤ３０ａ〜３０ｌを覆う３個のレンズ５０ａ（又は５０ｂ）に設けられた合計１２個の突起部５２ａ（又は５２ｂ）をガイドするための６個の孔２７ａ及び６個の切り欠き２７ｂが設けられている。なお、切り欠き２７ｂは、各単位基板１１〜１８の長辺の側面に形成された半円柱状の凹部である。このような孔２７ａ及び切り欠き２７ｂにより、レンズ５０ａ又は５０ｂが各単位基板１１〜１８上に位置決めされて確実に固定され得る。なお、図３Ａに示されたレンズ５０ａが用いられるか、あるいは、図３Ｂに示されるレンズ５０ｂが用いられるかは、単位基板が組み込まれる照明装置の用途に依存して決定される。また、孔２７ａ及び切り欠き２７ｂの形状は、レンズ５０ａ及び５０ｂに適合したものであればよく、例えば、円形、三角形、又は、矩形であってもよい。
【００２３】
また、図２に示されるように、本実施の形態におけるＬＥＤモジュール用基板１０では、各単位基板１１〜１８において、配線パターン２２は、２つの配線パターン（第１配線パターン２２ａ及び第２配線パターン２２ｂ）に分離されている。そして、第１配線パターン２２ａ及び第２配線パターン２２ｂには、抵抗ジャンパーで相互に接続するための抵抗ジャンパー用電極が複数箇所に形成（つまり、冗長的に複数対、形成）されている。具体的には、電力供給用電極２１ａのマイナス（−）電源端子に接続された第２配線パターン２２ｂと側縁領域に形成された第１配線パターン２２ａとの間を抵抗ジャンパーで接続するための２対の抵抗ジャンパー用電極２５ａが設けられている。さらに、電力供給用電極２１ａのプラス（＋）電源端子に接続された第２配線パターン２２ｂと側縁領域に形成された第１配線パターン２２ａとの間を抵抗ジャンパーで接続するための２対の抵抗ジャンパー用電極２５ｂが設けられている。このような冗長的な２対の抵抗ジャンパー用電極２５ａ（及び２５ｂ）が設けられているのは、並列接続の関係にある２個の抵抗ジャンパーのいずれかを選択的に用いることができるようにするためである。これは、上述した２種類のレンズ５０ａ及び５０ｂのいずれを採用するかに対応させたものであり、抵抗ジャンパーがレンズに当たってしまうためにレンズを単位基板に実装できないことを回避するためである。例えば、２種類のレンズ５０ａ及び５０ｂのうち、レンズ５０ａをＬＥＤモジュール用基板１０に実装する場合には、２対の抵抗ジャンパーのうちの一方を選択する。一方、レンズ５０ｂをＬＥＤモジュール用基板１０に実装する場合には、２対の抵抗ジャンパーのうちの他方を選択する。これにより、抵抗ジャンパーとレンズとがぶつかることなく、ＬＥＤモジュール用基板１０に実装され得る。
【００２４】
なお、抵抗ジャンパーは、隣接する単位基板の１２個のＬＥＤを、側縁領域に形成された第１配線パターン２２ａを介して直列に接続する機能と、大電流が流れたときに切断するヒューズとしての機能とを兼ね備えるジャンパーである。また、図１Ａ、図１Ｂ及び図２に示される電源及びＬＥＤの極性は、一例であり、これらを反転してもよい。たとえば、ＬＥＤモジュール用基板１０に実装するＬＥＤの極性が図示された極性と反対になるようにＬＥＤを実装し、それに合わせて、プラス（＋）電源端子及びマイナス（−）電源端子に供給する電源の極性を入れ換えればよい。
【００２５】
また、図２に示されるように、本実施の形態におけるＬＥＤモジュール用基板１０では、８個の単位基板１１〜１８の夫々には、当該単位基板に実装されるＬＥＤ３０ａ〜３０ｌからの熱を放熱するための金属箔パターンである放熱パターン２６が形成されている。放熱パターン２６は、単位基板上であって、少なくとも、ＬＥＤ３０ａ〜３０ｌの直下に形成されている。つまり、放熱パターン２６は、図４の放熱パターンの拡大図に示すように、各ＬＥＤを直列に接続する配線パターンに対して左右に位置する２つの領域２６ａ及び２６ｂが、各ＬＥＤ用の２つの電極間を走る領域２６ｃを介して接続された金属箔パターンである。このような放熱パターン２６により、ＬＥＤ３０ａ〜３０ｌで発生した熱は、ＬＥＤ３０ａ〜３０ｌの直下を走る放熱パターン２６の領域２６ｃを経て、より大きな領域２６ａ及び２６ｂに伝達され、ＬＥＤ３０ａ〜３０ｌが効率よく放熱される。
【００２６】
図５は、４面取りのケースにおけるＬＥＤモジュール用基板１０ａの平面図である。つまり、このケースでは、ＬＥＤモジュール用基板１０ａは、照明装置に組み込まれる際に、図示された点線で切断されて４つに分割され、その結果、２個の単位基板で構成される４個のＬＥＤモジュール４１〜４４が作製される。
【００２７】
ここで、ＬＥＤモジュール用基板１０ａにおいて、ｎ個の単位基板の並びにおいて連続するｍ（≦ｎ）個の単位基板から構成される組を組基板（あるいは、ＬＥＤモジュール）と呼ぶ。ＬＥＤモジュール用基板１０ａをｍ個の組基板として用いる場合には、ｎ個の単位基板において、組基板ごとに、当該組基板を構成するｍ個の単位基板に形成された対応するジャンパー用電極を接続するためのジャンパーが設けられる。ここで、本明細書において、単に「ジャンパー」と記載した場合には、その「ジャンパー」は、抵抗ジャンパーとは異なる通常のジャンパー（抵抗を介することなく少なくとも２箇所を短絡する機能を有する短絡用ジャンパー）を意味する。図５に示されたＬＥＤモジュール用基板１０ａでは、４個のＬＥＤモジュール４１〜４４の夫々ごとに、隣接する２つの単位基板を接続するために、左右の側縁領域の夫々に、２個のジャンパー３１ａ（合計８個のジャンパー３１ａ）が設けられている。なお、図５に示されたＬＥＤモジュール用基板１０ａでは、図面における最下に位置するＬＥＤモジュール４１には、さらに、電力供給用のプラス（＋）電源端子とマイナス（−）電源端子とを兼ねたワイヤコネクタ（詳しくは、Ｐｕｓｈ  Ｅｎｄ  Ｗｉｒｅ  Ｃｏｎｎｅｃｔｏｒ／Ｐｕｓｈ−ｉｎ  Ｗｉｒｅ  Ｃｏｎｎｅｃｔｏｒ）３１ｂが設けられている。よって、図５に示されたＬＥＤモジュール用基板１０ａには、８個のジャンパー３１ａ及び１個のワイヤコネクタ３１ｂが設けられている。
【００２８】
図６Ａは、図５に示されたジャンパー（ここでは、ワイヤコネクタ）３１ａの拡大図である。図６Ｂは、各ＬＥＤモジュール４１〜４４の等価回路図（ＬＥＤを含めた場合の等価回路図）である。図６Ａに示されるように、ジャンパー３１ａは、２対の対応電極を短絡する機能と、夫々の短絡箇所に導線ケーブルを接続する機能とを有する。導線ケーブルとの接続のために、ジャンパー３１ａは、２個の導線ケーブルの差し込み穴３２と、その差し込み穴３２に差し込まれた導線ケーブルを短絡箇所に押さえつけるための２個のネジ３３とを有する。各ＬＥＤモジュール４１〜４４において、両側縁領域に設けられた２個のジャンパー３１ａの夫々の差し込み穴３２に導線ケーブルを差し込んで接続することで、図５に示される電流経路で、直列に接続された２４個のＬＥＤに電流を流すことができる。つまり、各ＬＥＤモジュール４１〜４４は、図６Ｂに示されるように、直列接続された２４個のＬＥＤを実装するためのＬＥＤモジュールである。なお、本実施の形態では、ジャンパー３１ａとして、ジャンパーの機能と導線ケーブルとの接続機能とを兼ねたワイヤコネクタが用いられているが、これに限られない。ジャンパーと導線ケーブルとの接続とが分離して施されてもよい。
【００２９】
なお、導線ケーブルとジャンパー３１ａとの接続については、図面に向かって右の側縁領域に設けられたジャンパー３１ａには、２つの差し込み穴３２のいずれか（いずれでもよい）に、プラス（＋）電源用の導線ケーブル（図５の＋Ｖｉｎ）を接続する。一方、図面に向かって左の側縁領域に設けられたジャンパー３１ａには、２つの差し込み穴３２のうち、辺側に位置する差し込み穴３２に、マイナス（−）電源用の導線ケーブル（図５の−Ｖｉｎ）を接続する。これにより、ＬＥＤモジュール４１〜４４ごとの電力供給（つまり、２４個のＬＥＤへの電力供給）が可能になる。なお、図面の最下に位置するＬＥＤモジュール４１については、左下に設けられたワイヤコネクタ３１ｂだけからの電力供給（２つの差し込み穴３２の夫々にプラス（＋）電源用の導線ケーブルとマイナス（−）電源用の導線ケーブルを接続すること）も可能である。
【００３０】
図７は、図５におけるＬＥＤモジュール用基板１０ａの一部分の拡大図である。本図から分かるように、このような４面取りのケースでは、隣接する２つの単位基板を接続するための抵抗ジャンパー３５が設けられている。図７に示される例では、マイナス（−）電源端子に近い２対の抵抗ジャンパー用電極２５ａについては、２対（Ｒ１及びＲ２）のうちの一方（Ｒ２）に抵抗ジャンパー３５が設けられている。また、プラス（＋）電源端子に近い２対の抵抗ジャンパー用電極２５ｂについては、２対（Ｒ３及びＲ４）のうちの一方（Ｒ４）に抵抗ジャンパー３５が設けられている。
【００３１】
以上のようなジャンパー３１ａ及び抵抗ジャンパー３５により、ＬＥＤモジュール用基板１０ａを、２個の単位基板から構成される４個のＬＥＤモジュールに分割する４面取りとして用いることが可能となる。
【００３２】
図８Ａは、１面取りのケースにおけるＬＥＤモジュール用基板１０ｂの平面図である。図８Ｂは、図８Ａに示されたＬＥＤモジュール用基板１０ｂの等価回路図（ＬＥＤを含めた場合の等価回路図）である。つまり、このケースでは、ＬＥＤモジュール用基板１０ｂは、照明装置に組み込まれる際に、分割されることなく（シート単位で）、１個のＬＥＤモジュールとして用いられる。図８Ａに示されたＬＥＤモジュール用基板１０ｂには、１４個のジャンパー３１ａ及び１個のワイヤコネクタ３１ｂが設けられている。このようなジャンパー３１ａ及びワイヤコネクタ３１ｂによって、図８Ｂの等価回路図に示されるように、直列に接続された２４個のＬＥＤを１セットとする合計４セットのＬＥＤが並列に接続される。
【００３３】
電力供給については、ＬＥＤモジュール用基板１０ｂの左下に設けられたワイヤコネクタ３１ｂだけに電力を供給するだけでよい。つまり、ワイヤコネクタ３１ｂの２つの差し込み穴３２の夫々にプラス（＋）電源用の導線ケーブル（図８Ａの＋Ｖｉｎ）とマイナス（−）電源用の導線ケーブル（図８Ａの−Ｖｉｎ）とを接続するだけでよい。
【００３４】
抵抗ジャンパー３５については、図７に示される例と同様に、マイナス（−）電源端子に近い２対の抵抗ジャンパー用電極２５ａについては、２対（Ｒ１及びＲ２）のうちの一方（Ｒ２）に抵抗ジャンパー３５が設けられている。また、プラス（＋）電源端子に近い２対の抵抗ジャンパー用電極２５ｂについては、２対（Ｒ３及びＲ４）のうちの一方（Ｒ４）に抵抗ジャンパー３５が設けられている。
【００３５】
以上のようなジャンパー３１ａ及び抵抗ジャンパー３５により、ＬＥＤモジュール用基板１０ｂを、分割することなく、このシート単位で（１個のＬＥＤモジュールとして）、照明装置に用いることが可能となる。
【００３６】
以上のように、本実施の形態におけるＬＥＤモジュール用基板１０、１０ａ及び１０ｂは、ＬＥＤを実装するための単位基板がｎ（≧２）個連結されて構成される多面取り可能なＬＥＤモジュール用基板である。ｎ個の単位基板の夫々には、電力供給のための少なくとも１対の電力供給用電極２１ａ及び２１ｂと、少なくとも１対の電力供給用電極２１ａ及び２１ｂに供給された電力を当該単位基板に実装されるＬＥＤに配送するための配線パターン２２とが形成されている。さらに、ＬＥＤモジュール用基板１０、１０ａ及び１０ｂがｎ個の単位基板に分割される際のＬＥＤモジュール用基板の切断箇所２３には、当該切断箇所２３を跨ぐ配線パターンが形成されていない。そして、ｎ個の単位基板のうち、隣接して配置された２個の単位基板の夫々には、当該２個の単位基板を切り離す切断箇所２３を跨ぐジャンパー３１ａを接続するためのジャンパー用電極２４が形成されている。ジャンパー用電極２４と当該単位基板に形成された配線パターン２２とは接続されている。
【００３７】
これにより、本実施の形態のおけるＬＥＤモジュール用基板１０、１０ａ及び１０ｂでは、各単位基板に電力供給用電極が設けられ、かつ、各単位基板の配線パターンがジャンパーを介して接続される。よって、本実施の形態のおけるＬＥＤモジュール用基板１０、１０ａ及び１０ｂを単位基板ごとに分割して多面取りした場合であっても、単位基板間を接続するための煩雑なワイヤリングを手作業で行う必要がなく、かつ、接続部材としてのワイヤーも必要なくなる。その結果、ＬＥＤモジュール用基板１０、１０ａ及び１０ｂを所望の数に分割することが容易となり、大きなコストをかけることなく、所望の光出力をもつＬＥＤ照明装置を構築することが可能になる。
【００３８】
ここで、ｎ個の単位基板は、第１方向に並べて配置され、ｎ個の単位基板の夫々には、第１方向に直交する第２方向における両端に位置する２つの側縁領域に、ジャンパー用電極２４が形成されている。これにより、ジャンパーがＬＥＤモジュール用基板１０、１０ａ及び１０ｂの側縁領域に配置されることになり、ジャンパーの取り付け作業、及び、ジャンパーに導線ケーブルを接続する作業が容易になる。
【００３９】
また、ｎ個の単位基板の並びにおいて連続するｍ（≦ｎ）個の単位基板から構成される組を組基板とした場合に、ｎ個の単位基板において、組基板ごとに、当該組基板を構成するｍ個の単位基板に形成された対応するジャンパー用電極２４を接続するためのジャンパー３１ａが設けられている。これにより、ＬＥＤモジュール用基板１０、１０ａ及び１０ｂを、ｍ個の単位基板から構成されるＬＥＤモジュールに分割して用いることが可能になる。
【００４０】
また、ｎ個の単位基板の夫々には、当該単位基板に実装されるＬＥＤを覆うレンズ５０ａ（又は５０ｂ）に設けられた突起部５２ａ（又は５２ｂ）をガイドするための孔２７ａ及び切り欠き２７ｂの少なくとも一つが設けられている。これにより、レンズ５０ａ（又は５０ｂ）が各単位基板１１〜１８上に位置決めされて確実に固定され得る。
【００４１】
また、ｎ個の単位基板の夫々において、配線パターン２２は、の第１配線パターン２２ａ及び第２配線パターン２２ｂに分離され、第１配線パターン２２ａ及び第２配線パターン２２ｂには、抵抗ジャンパー３５で相互に接続するための抵抗ジャンパー用電極２５ａ及び２５ｂが複数箇所に形成されている。これにより、２種類のレンズ５０ａ及び５０ｂのいずれを採用するかによって、抵抗ジャンパーによって短絡する箇所を複数箇所の中から選択できるので、抵抗ジャンパーがレンズに当たってレンズを単位基板に実装できないという不具合が回避される。
【００４２】
また、ｎ個の単位基板の夫々には、当該単位基板に実装されるＬＥＤからの熱を放熱するための金属箔パターンである放熱パターン２６が形成されている。その放熱パターン２６は、少なくとも、単位基板上であって、ＬＥＤの直下に形成されている。これにより、ＬＥＤ３０ａ〜３０ｌで発生した熱は、ＬＥＤ３０ａ〜３０ｌの直下を走る放熱パターン２６を経て、大きな領域の放熱パターン２６に伝達され、ＬＥＤ３０ａ〜３０ｌが効率よく放熱される。
【００４３】
以上、本発明に係るＬＥＤモジュール用基板について、実施の形態に基づいて説明したが、本発明は、これらの実施の形態に限定されるものではない。本発明の趣旨を逸脱しない限り、当業者が思いつく各種変形を本実施の形態に施したものや、実施の形態における各構成要素を組み合わせて構築される他の形態も、本発明に含まれる。
【００４４】
たとえば、上記実施の形態では、１個の単位基板をＬＥＤモジュールとする８面取り、２個の単位基板をＬＥＤモジュールとする４面取り、及び、８個の単位基板（１シート）をＬＥＤモジュールとする１面取りの例が示されたが、これらの面取りに限られない。４個の単位基板をＬＥＤモジュールとする２面取りをしてもよいし、異なるサイズのＬＥＤモジュールが混在する面取りをしてもよい。たとえば、１個の単位基板から構成されるＬＥＤモジュールと２個の単位基板から構成されるＬＥＤモジュールとが混在するような面取りをしてもよい。
【００４５】
また、上記実施の形態では、ＬＥＤモジュール用基板１０、１０ａ及び１０ｂは、８個の単位基板から構成されたが、このような数の単位基板の構成に限られない。本発明は、図９に示される第一の変形例におけるＬＥＤモジュール用基板６０のように、６個の単位基板６１〜６６から構成されるＬＥＤモジュール用基板であってもよい。
【００４６】
さらに、上記実施の形態では、ＬＥＤモジュール用基板を構成する各単位基板には１２個のＬＥＤが実装されたが、各単位基板に実装されるＬＥＤの個数は１２個に限定されない。たとえば、図１０Ａ〜図１０Ｆに示される第二の変形例におけるＬＥＤモジュール用基板のように、各単位基板に実装されるＬＥＤの個数は４８個であってもよい。
【００４７】
図１０Ａは、第二の変形例におけるＬＥＤモジュール用基板（８面取り）の平面図である。ここには、４８個のＬＥＤが実装される８個の単位基板７１〜７８から構成されるＬＥＤモジュール用基板７０の平面図が示されている。８個の単位基板７１〜７８は、点線で図示される箇所（切断箇所）で切断されることで分離される。各単位基板７１〜７８は、図１０Ｂの等価回路図に示されるように、直列接続された４８個のＬＥＤを実装するための配線パターンが施されている。
【００４８】
図１０Ｃは、４面取りのケースにおける第二の変形例のＬＥＤモジュール用基板７０ａの平面図である。つまり、このケースでは、ＬＥＤモジュール用基板７０ａは、照明装置に組み込まれる際に、図示された点線で切断されて４つに分割され、その結果、２個の単位基板で構成される４個のＬＥＤモジュール８１〜８４が作製される。各ＬＥＤモジュール８１〜８４は、図１０Ｄの等価回路図に示されるように、直列接続された９６個のＬＥＤを実装するためのＬＥＤモジュールである。
【００４９】
図１０Ｅは、１面取りのケースにおける第二の変形例のＬＥＤモジュール用基板７０ｂの平面図である。図１０Ｆは、図１０Ｅに示されたＬＥＤモジュール用基板７０ｂの等価回路図（ＬＥＤを含めた場合の等価回路図）である。ここでは、直列に接続された９６個のＬＥＤを１セットとする合計４セットのＬＥＤが並列に接続される。
【００５０】
このように、第二の変形例におけるＬＥＤモジュール用基板７０、７０ａ及び７０ｂによれば、単位基板に４８個のＬＥＤが実装されるので、単位基板に１２個のＬＥＤが実装される上記実施の形態に比べ、高い光出力が実現される。よって、上記実施の形態及び変形例におけるＬＥＤモジュール用基板の中から用途に応じたものを選択し、さらに、その分割数を適宜選択することで、様々な用途に応じた所望の光出力をもつＬＥＤ照明装置を構築することが可能になる。
【符号の説明】
【００５１】
１０、１０ａ、１０ｂ、６０、７０、７０ａ、７０ｂ  ＬＥＤモジュール用基板
１１〜１８、６１〜６６、７１〜７８  単位基板
２１ａ、２１ｂ  電力供給用電極
２２  配線パターン
２２ａ  第１配線パターン
２２ｂ  第２配線パターン
２３  切断箇所
２４  ジャンパー用電極
２５ａ、２５ｂ  抵抗ジャンパー用電極
２６  放熱パターン
２６ａ〜２６ｃ  領域（放熱パターンの領域）
２７ａ  孔
２７ｂ  切り欠き
３０ａ〜３０ｌ  ＬＥＤ
３１ａ  ジャンパー（ワイヤコネクタ）
３１ｂ  ワイヤコネクタ
３２  差し込み穴
３３  ネジ
３５  抵抗ジャンパー
４１〜４４、８１〜８４  ＬＥＤモジュール（組基板）
５０ａ、５０ｂ  レンズ
５１ａ、５１ｂ  凹部
５２ａ、５２ｂ  突起部
【図１Ａ】
2015106541.tif 000003
【図１Ｂ】
2015106541.tif 000004
【図２】
2015106541.tif 000005
【図３Ａ】
2015106541.tif 000006
【図３Ｂ】
2015106541.tif 000007
【図４】
2015106541.tif 000008
【図５】
2015106541.tif 000009
【図６Ａ】
2015106541.tif 000010
【図６Ｂ】
2015106541.tif 000011
【図７】
2015106541.tif 000012
【図８Ａ】
2015106541.tif 000013
【図８Ｂ】
2015106541.tif 000014
【図９】
2015106541.tif 000015
【図１０Ａ】
2015106541.tif 000016
【図１０Ｂ】
2015106541.tif 000017
【図１０Ｃ】
2015106541.tif 000018
【図１０Ｄ】
2015106541.tif 000019
【図１０Ｅ】
2015106541.tif 000020
【図１０Ｆ】
2015106541.tif 000021